(57)【特許請求の範囲】
【請求項１】
ニードルレスバルブシステム用のバルブであって、前記バルブは、
前記ニードルレスバルブシステム内に配設されるように構成され、前記ニードルレスバルブシステムを通る流体の流れを制御する、テール部のない本体を備え、前記本体は、
破断されない表面を含む上部表面と、
前記バルブをハウジングに連結する保持フランジと、
前記保持フランジと連続的な壁を形成する圧縮フィーチャであって、前記圧縮フィーチャは、前記ニードルレスバルブシステムを通る流体の流れを可能にするために前記本体が圧縮される状態を制御するように構成されており、前記圧縮フィーチャが、前記本体の中心断面に沿って非対称である、圧縮フィーチャとを備える、ニードルレスバルブシステム用のバルブ。
【請求項２】
前記圧縮フィーチャが、前記本体の中心断面に沿って片寄っている、請求項１に記載のバルブ。
【請求項３】
前記圧縮フィーチャが、前記本体を完全に通って延びる空洞を備える、請求項１に記載のバルブ。
【請求項４】
前記圧縮フィーチャが、近位の壁厚さより大きい壁厚さを有する、請求項１に記載のバルブ。
【請求項５】
前記圧縮フィーチャが、底部表面から前記上部表面に向かって延びる開放空洞である、請求項１に記載のバルブ。
【請求項６】
前記本体が、ほぼ中空である、請求項１に記載のバルブ。
【請求項７】
ニードルレスバルブシステムであって、前記ニードルレスバルブシステムは、
流体ポートを備えるハウジングと、
前記ハウジング内に配設されたテール部のないバルブとを備え、前記バルブは、
前記流体ポートを流体的に封止し、破断されない表面を含む上部表面と、
前記バルブをハウジングに連結する保持フランジと、
前記保持フランジと連続的な壁を形成する圧縮フィーチャであって、前記圧縮フィーチャは、前記ニードルレスバルブシステムを通る流体の流れを可能にするために前記バルブが圧縮される状態を制御するように構成されており、前記圧縮フィーチャは、非対称であり、前記圧縮フィーチャは、変形されるときに、前記上部表面から前記流体ポートを封止解除するように構成されている、圧縮フィーチャとを備える、ニードルレスバルブシステム。
【請求項８】
前記上部表面が、前記流体の流れが前記ニードルレスバルブシステムを通る間、平坦である、請求項７に記載のニードルレスバルブシステム。
【請求項９】
前記上部表面が、前記流体の流れが前記ニードルレスバルブシステムを通る間、非平坦である、請求項７に記載のニードルレスバルブシステム。
【請求項１０】
前記上部表面が、前記流体の流れが前記ニードルレスバルブシステムを通る間、前記ハウジングの上部表面に対して傾斜される、請求項７に記載のニードルレスバルブシステム。
【請求項１１】
前記圧縮フィーチャが、前記バルブを完全に通って延びる空洞を備える、請求項７に記載のニードルレスバルブシステム。
【請求項１２】
前記圧縮フィーチャが、前記バルブの断面に沿って非対称である、請求項７に記載のニードルレスバルブシステム。
【請求項１３】
前記圧縮フィーチャが、近位の壁厚さより大きい壁厚さを有する、請求項７に記載のニードルレスバルブシステム。
【請求項１４】
前記圧縮フィーチャが、底部表面から前記上部表面に向かって延びる開放空洞である、請求項７に記載のニードルレスバルブシステム。
【請求項１５】
前記バルブが、ほぼ中空である、請求項７に記載のニードルレスバルブシステム。
【発明の詳細な説明】
【背景技術】
【０００１】
テール部を備えたバルブを含むニードルレスバルブシステムは、テール部を包含することができるハウジングを必要とする。したがって、テール部を圧縮するために、追加の力が必要とされ、テール部を包含するハウジングに呼び水を入れ及び／又はハウジングを洗浄するために、追加の流体が必要とされる。
【図面の簡単な説明】
【０００２】
【図１Ａ】テール部のないバルブの実施例を示す図である。
【図１Ｂ】テール部のないバルブの実施例を示す図である。
【図２】ニードルレスバルブシステムの実施例を示す図である。
【図３】ニードルレスバルブシステムの実施例を示す図である。
【図４】ニードルレスバルブシステムの実施例を示す図である。
【発明を実施するための形態】
【０００３】
本説明に参照される図は、特記される場合を除き、正寸で描画されていないものとして理解されなければならない。
【０００４】
次に、本発明の技術の実施例に対して詳細に参照がなされ、その実例が、添付の図に示される。その技術が、さまざまな実施例を併用して説明されるが、これらは、本発明の技術をこれらの実施例に限定するようには意図されないことが理解されよう。それとは逆に、本発明の技術は、付属の特許請求の範囲によって定義されたさまざまな実施例の趣旨及び範囲内に含まれ得る、代替例、変形例、及び均等物を含むように意図される。
【０００５】
さらに、以下の実施例の説明では、数多くの特有の詳細が、本発明の技術の完全な理解をもたらすために記載される。しかし、本発明の技術は、これらの特有の詳細無しに実施されてよい。他の場合、本発明の実施例の態様を不必要にあいまいにしないように、周知の方法、手順、及び構成要素は、詳細には説明されていない。
【０００６】
図１Ａ〜図２は、バルブ１００Ａ〜Ｃそれぞれのさまざまな実施例の等角断面図を示す。詳細には、図２は、ニードルレスバルブ組立体２００の等角断面図を示す。
【０００７】
バルブ１００Ａ〜Ｃは、構造及び機能において類似する。明確且つ簡潔にするために、本明細書における説明は、バルブ１００Ａに焦点を当てる。また、本明細書において説明するバルブ１００Ａ及び他のバルブは、バルブプラグ、ピストンなどとして説明することもできる。バルブ１００Ａは、ニードルレスバルブシステムに利用されるように構成され、このことは、以下でより詳細に説明される。
【０００８】
バルブ１００Ａは、テール部のないものである。すなわち、バルブ１００Ａは、本体１１０から下方に突起するテール部を含まない。
【０００９】
それとは対照的に、ニードルレスバルブシステム用の従来のバルブでは、バルブは、バルブハウジングと物理的に接触するテール部部分を含む。特に、テール部は、ニードルレスルアーによって圧縮される。ルアーがハウジングから取り外されたとき、テール部は、その元の位置まで弛緩し、バルブを封止位置に戻すように付勢する。
【００１０】
バルブ１００Ａはテール部のないものであるため、バルブを製造するためにより少ない材料ですみ、さらに、バルブを取り囲むハウジング（たとえばハウジング２１０）を製造するためにより少ない材料ですむ。その結果、テール部のないバルブ及び関連するニードルレスバルブ組立体を製造するためのコストは、低減される。
【００１１】
さらに、テール部を含む従来のバルブと比較して、バルブを変形させて封止解除位置にするためにより少ない力ですむ。
【００１２】
追加的に、バルブの高さが、低減される。その結果、バルブを入れるハウジングもまた縮小される。したがって、ハウジングは、従来のニードルレスバルブ組立体のハウジングと比較してより小さい容積（たとえば容積部３３０）を含むことができる。したがって、適切にハウジングに呼び水を入れ及び／又はハウジングを洗浄するためにより少ない流体ですむ。
【００１３】
バルブ１００Ａは、とりわけ、本体１１０、上部表面１２０、圧縮フィーチャ１３０Ａ、内部空洞１３２Ａ、及び保持フランジ１４０を含む。
【００１４】
上部表面１２０は、ハウジングのポートを封止するように構成され、このことは、以下で詳細に説明される。上部表面１２０は、連続的であり、いかなる破断された部分も含まない（又は必要としない）。たとえば、上部表面１２０は、スリット、切断部、穴などを含まない連続的なフィーチャのものである。特に、上部表面１２０は、スリット隔壁を必要としない。
【００１５】
上部表面１２０は、平滑で破断されない表面である。したがって、上部表面が拭き取られるとき、病原菌が容易に取り除かれ、表面は適切に殺菌される。
【００１６】
保持フランジ１４０は、バルブ１００Ａをハウジング２１０内に保持するためのものである。バルブ１００Ａは、適切且つしっかりとした保持が両立できる各種保持フィーチャ及び機構によってハウジング内に保持され得ることを理解されたい。
【００１７】
圧縮フィーチャ１３０Ａは、所定の厚さを有する壁であり、この所定の厚さは、この厚い壁の近位の壁厚さと比較して、より大きいものである。本明細書に説明するような圧縮フィーチャは、バルブの圧縮／折り畳みを制御する又は支持する任意の物理的フィーチャ又は物理的フィーチャの組合せであることに留意されたい。たとえば、圧縮フィーチャ１３０Ａは、これがより大きい壁厚さを有するため、本体１１０を、より薄い壁厚さを有する領域（又は圧縮フィーチャ１３０Ａから離れた領域）内で圧縮させる。また、圧縮フィーチャ１３０Ａ及び空洞１３２の組合せは、バルブ１００Ａの圧縮の制御された位置付けにおいて役立ち得る。
【００１８】
圧縮フィーチャ１３０Ｂは、本体全体を貫く貫通穴又は空洞である。したがって、バルブ１１０Ｂは、圧縮フィーチャ１３０Ｂの領域内で容易に折り畳まれ又は圧縮する。
【００１９】
圧縮フィーチャ１３２Ｃは、底部表面から上部表面１２０に向かって延びる不定形且つ非対称の空洞である。したがって、バルブ１１０Ｃは、圧縮フィーチャ１３２Ｃの領域内で容易に折り畳まれ又は圧縮する。
【００２０】
さまざまな圧縮フィーチャが、それだけに限定されないが、前記本体の中心断面に沿って非対称で、前記本体の中心断面に沿って片寄っていることが可能であることを理解されたい。
【００２１】
図２は、閉鎖された又は封止された位置にあるニードルレスのバルブ組立体２００を示す。すなわち、バルブ１００Ｃは、弛緩された自然の位置において、保持フランジ１４０を介してハウジング２１０内に着座する。特に、バルブ１００Ｃの周囲外側表面は、ポート２１４が流体的に封止されるように内側壁２１２に対して封止する。すなわち、流体は、ポート２１４を（どちらの方向にも）通り抜けることはできない。
【００２２】
さまざまな実施例では、ニードルレスバルブ組立体２００は、カテーテル又はストップコックに流体的に取り付けられ又は連結され得る。ニードルレスバルブ組立体２００は、ストップコックなどの他のバルブ作用機構と一体化され得る。
【００２３】
バルブ１００Ａ〜Ｃは、適切な封止及び制御された変形及び元の位置に自然に跳ね返る能力をもたらす任意の材料から構成され得る。たとえば、バルブは、シリコーンから構成され得る。
【００２４】
図３は、ニードルレスバルブ組立体３００の断面図を示す。ニードルレスデバイス３５０（たとえばニードルレスシリンジ）は、バルブ（たとえばバルブ１００Ａ〜Ｃ）が変形されるようにポート３１４内へ押し込まれる。明確且つ簡潔にするために、ポート３１４の封止解除中の上部表面３２０の変位が示される。しかし、ハウジング３１０内のバルブの圧縮された又は変形された本体は、示されていない。
【００２５】
ニードルレスデバイス３５０は、バルブのヘッドを内側壁３１２に沿って下方向に変位させる。上部表面３２０が、（内側壁３１２における直径より大きい直径を有する）ショルダ３１６内に配置されると、封止部は破断され、流体の流れが発生することができる。１つの実施例では、上部表面３２０は、バルブの本体の圧縮フィーチャ（たとえば圧縮フィーチャ１３０Ａ〜Ｃ）に基づいて、平坦であり及び／又は（ニードルレスデバイスの先端部に対して角度をなして）傾斜される。
【００２６】
流体は、ニードルレスデバイス３５０から、上部表面３２０周り及びハウジング３１０を通って患者まで方向３４０に流れることができる。ハウジング３１０及び／又はバルブは、流体がニードルレスバルブ組立体３００を完全に通り抜けることを可能にするポート又はチャネル（図示せず）を含むことを理解されたい。
【００２７】
１つの実施例では、流体の流れは、反対方向に発生することもできる。たとえば、血液は、患者から容積部３３０に入り、バルブ及び上部表面３２０を回ってニードルレスシリンジ内に引き込まれる。
【００２８】
ニードルレスデバイス３５０が、ニードルレスバルブ組立体３００から取り外されたとき、バルブはその元の位置へ弛緩し、それにより、上部表面はポート３１４を再封止する。
【００２９】
図４は、ニードルレスバルブ組立体４００の断面図を示す。ニードルレスバルブ組立体４００は、上記で説明したようなニードルレスバルブ組立体３００に類似する。１つの実施例では、上部表面４２０は、ニードルレスデバイスが上部表面４２０を押し下げたときに「Ｖ形状」に変形され、バルブは変形され、それにより、ポートが封止解除される。特に、上部表面４２０は、バルブの本体の圧縮フィーチャ（たとえば圧縮フィーチャ１３０Ａ〜Ｃ）に基づいて「Ｖ形状」に変形される。したがって、流体は、ニードルレスデバイスから、上部表面４２０周り及びハウジングを通って患者まで方向４４０に流れることができる。ハウジング及び／又はバルブは、流体がニードルレスバルブ組立体４００を完全に通り抜けることを可能にするポート又はチャネル（図示せず）を含むことを理解されたい。
【００３０】
さまざまな実施例では、上部表面４２０は、任意の非平坦の形状になるように変形させることができ、それにより、封止部は破断され、流体は、ニードルレスバルブ組立体４００を流れ抜けることができる。
【００３１】
本明細書において説明する実施例は、単独で、又は互いに組み合わせて利用又は実施され得ることを理解されたい。本発明は、特定の実施例において説明されてきたが、本発明は、そのような実施例によって限定されるように解釈されるのではなく、特許請求の範囲に従って解釈されなければならないことを理解されたい。
【図１Ａ】
0006345683.tif 000002
【図１Ｂ】
0006345683.tif 000003
【図２】
0006345683.tif 000004
【図３】
0006345683.tif 000005
【図４】
0006345683.tif 000006